(57)【要約】【課題】  カメラにおいて、回転動作する操作部材と揺動動作する操作部材を効率よく配置するとともに操作性を向上させる。【解決手段】  撮影モードを切り替えるモードダイアルをカメラの側面に配置し、ズームレバーをモードダイアルと同軸の円筒面上を回転摺動するように構成し、モードダイアルとズームレバーの間には隙間を設け、その隙間はカメラのグリップ時に親指が置かれる位置とする。【選択図】        図１
2007025113.tif 000002
【特許請求の範囲】
【請求項１】
操作軸を中心として回動し、複数のモードの中からひとつのモードを選択する第１の操作部材と、揺動動作する第２の操作部材をもつカメラにおいて、前記第２の操作部材の揺動動作は、前記第１の操作部材の回転軸と同軸の円筒面上を摺動動作することを特徴とするカメラ。
【請求項２】
前記第１の操作部材の操作軸は水平であり、前記操作部材はカメラの側面に配置されていることを特徴とする請求項１に記載のカメラ。
【請求項３】
前記第１の操作部材と、前記第２の操作部材の間には適当な隙間が設けられるとともに、前記隙間はカメラを把持したさいに、親指が置かれる位置にあることを特徴とする請求項１または請求項２に記載のカメラ。
【発明の詳細な説明】
【技術分野】
【０００１】
本発明はカメラに関し、回転して撮影モード等を切り替えるモード切替ダイアルとズーム駆動を行わせる際に操作するズーム操作部などのカメラの操作部材の構造および配置に関する。
【背景技術】
【０００２】
近年のデジタルカメラにおいては小型化が進む一方、カメラ背面に配置されるＬＣＤ等の表示部の大画面化が進行している。一方、高機能化の進展で背面に配置される操作部材も多くあり、それら操作部材の効率的な配置と操作性の両立が求められている。
【０００３】
そこで、特許文献１のように円盤部が回転する操作部材と揺動する操作部材、例えば多数の撮影モードを切り替えるモード切替ダイアルと、レンズのズーム動作を行わせるズームレバーのように複数の操作部材を上下に同軸に重ねたものがある。
【特許文献１】特開平８−１２２８４２号公報
【発明の開示】
【発明が解決しようとする課題】
【０００４】
しかしながら、特許文献１に示す操作部材の構造では回転部材であるモードダイアルと揺動部材であるズームレバーとが接近し、指１本でそれぞれをすばやく操作しようとする場合には操作を間違える可能性もある。
【０００５】
また、上下に重ねているため、接片保持部材が２重になったり、それぞれの部材を回動保持するために大きな環状とせざるをえず、モードダイアル径の小径化や、操作部材を薄く構成することが困難となっている。そのため、ユニット化した際に大きなブロックとなり、効率的な配置の妨げとなっていた。
【０００６】
そこで本発明では操作部の配置を効率化させるとともに操作性の良い操作部を提供することを目的とする。
【課題を解決するための手段】
【０００７】
上記の目的を達成するために、本発明では、複数の撮影モードを選択するために回動する第１の操作部材をカメラの側面に配し、方向選択するための第２の揺動する操作部材を前記回動する操作部材と同軸の円筒面上で回転摺動動作させ、なおかつ両操作部材の間に指を置くスペースを設けることで、上記目的を達成する。
【０００８】
なお、さらに詳細に説明すれば、本発明は下記の構成によって前記課題を解決できた。
【０００９】
（１）操作軸を中心として回動し、複数のモードの中からひとつのモードを選択する第１の操作部材と、揺動動作する第２の操作部材をもつカメラにおいて、前記第２の操作部材の揺動動作は、前記第１の操作部材の回転軸と同軸の円筒面上を摺動動作することを特徴とするカメラ。
【発明の効果】
【００１０】
本発明によれば操作部材を効率よく配置できるとともに、操作性の良いカメラとすることができる。
【発明を実施するための最良の形態】
【００１１】
以下本発明を実施するための最良の形態を、実施例により詳しく説明する。
【実施例１】
【００１２】
図１に本実施例を適用したデジタルカメラの構成を示す。
【００１３】
図において１は鏡筒やストロボ、ＬＣＤ等が組みつけられた本体、２は前カバー、３は後カバーである。４はレリーズボタン部分からグリップ側の側面までを覆う上カバーであり、ビス５ａ、５ｂにより前カバー２および後カバー３とともに本体１に固定される。
【００１４】
６はモードダイアルユニットであり、本体１のグリップ側に固定されるが、操作性に配慮し本体より後方に少し出っ張って配置されている。そのため、後カバー３にはダイヤルユニットの形状に合わせた円筒状の突出部３ａが形成されている。７はズームユニットであり、ユニット上に設けられたズームレバーの先端は後カバー３から突出した円筒部３ａに設けられた窓部３ｂより外面に突き出す。ダイヤルユニット６と後カバーの窓部３ｂの間には適当な幅の指置きスペース３ｃが設けられ、滑り止めのリブ３ｄが形成されている。
【００１５】
図２に前記モードダイアルユニット６の分解斜視図を示す。図において、１０はカメラの撮影モードを切り替えるためのモード切替ダイアルであり、その表面にＡＵＴＯモード、シーンモード、ムービーモードなどの撮影モードを印刷した化粧板１０ａが接着されるとともに、その側面にも撮影モードが印刷されている。これはモード切替ダイアル１０の化粧版１０ａがカメラ側方を向いているため、撮影時に撮影者が現在の撮影モードを見やすくするためである。モード切替ダイアル１０の側面は図４，図５に示すように筒状になっており、外面には滑り止めにローレットが形成され、内面側にはクリック感を得るための凹部１０ｂが半径方向に形成されている。また、中央には回転軸１０ｃが形成されている。
【００１６】
１１はクリックスプリング、１２はベース部材である。クリックスプリング１１はベース部材上のリブ１２ａ、１２ｂ、１２ｃによって支えられ、その凸部１１ａがリブ１２ａと１２ｃの間の隙間、１１ｄにくるように配される。そして前記凸部１１ａはモード切替ダイアル１０の内側面に半径方向に形成された凹部１０ｂに係脱するように構成されている。
【００１７】
１３は接片支持板、１４はダイアル接片であり接片支持板１３に固着される。そして前記モード切替ダイアルに設けられた回転軸１０ｃがベース部材１２に設けられた軸穴１２ｅに回転自在に勘合支持されるとともに、その軸部先端にダイアル接片１４を固着した接片支持板１３がねじ１５によって固定されている。接片支持板１３には位置決め穴１３ａ、１３ｂが形成されており、モード切替ダイアル１０の回転軸１０ｃに設けられた舌部１０ｄ，１０ｅにはめ込むことにより、モード切替ダイアル１０とダイアル接片１４の位相が固定される。１６はコードパターン１６ａが形成されたモードフレキであり、ダイアル接片１４がコードパターン１６ａに接触するように、ねじ１７ａ、１７ｂによってベース部材１２に固定される。これにより、モード切替ダイアル１０を回すことによりダイアル接片１４が回転し、モードフレキ１６より撮影モードを指示する信号が出力される。
【００１８】
図３にズームレバーユニット７の斜視図を、図４に断面図を示す。
【００１９】
２０はズームレバーでありズームベース２１上に円筒面状に形成されたレール２１ａ、２１ｂ上を上下方向に回転摺動する。２２はレバー固定部材であり、ズームレバー背面に設けられた不図示のボスをレバー固定部材２２に設けられた穴部２２ａ、２２ｂに通して溶着することにより、ズームレバー２０をズームベース２１に摺動可能に保持する。２３はズームスプリングであり、レバー固定部材２２に設けられた溝部２２ｃにはめ込まれズームレバー２０とレバー固定部材２２にはさまれる形で保持されている。また、図３に示すようにズームスプリング２３の端部はズームベース２１の面２１ｃ、２１ｄに当接するように構成され、ズームレバー２０を中立位置に保持する。
【００２０】
２４はズームレバー位置検出ＳＷであり、タクトＳＷ等が実装された操作フレキ２５上に実装されている。そしてズームベース２１が固定ビス２６ａ、２６ｂによって操作フレキ２５とともに操作ベース２７に固定されると、ズームレバー位置検出ＳＷ２４のアーム部２４ａがズームレバー２０背面に設けられたコの字部２０ｂにくわえられるように配置されている。これによりズームレバーが上下に回転摺動するとアーム部２４ａが動き、ズームレバー２４の移動方向に応じた信号が出力される。
【００２１】
前記操作ベース２７上に固定されたズームユニット７を本体１の背部にねじ８ａ、８ｂで固定したのち、モードダイアルユニット６が本体の側面に不図示のビスで固定され、モードダイアルユニット６とズームユニット７が略Ｌ字状に配置される。その際、モード切替ダイアル１０の引っ掛け部１２ｆをズームベース２１上に設けられた爪部２１ｅに引っ掛けることにより、モードダイアルユニット６の浮き上がりを防止する。
【００２２】
また、この際、ズームユニット７とモードダイアルユニット６はズームベース２１上に円筒面状に形成されたレール２１ａ、２１ｂの中心軸と、モード切替ダイアル１０の回転軸が一致するように組みつけられるので、ズームレバー２０はモード切替ダイアル１０と同軸の円筒面上を回転摺動する。
【００２３】
上記実施例によればモード切替ダイアルをグリップ側の側面に配置するとともに、モード切替ダイアルとズームレバーの間に指置きスペースを設け滑り止めのリブを形成しているのでカメラを握った際に自然に親指をおくことができカメラをホールドしやすくなる。またズームレバーおよびモードダイアルが親指の左右に配置されるため、それぞれの操作部材に簡単に移動でき、操作を間違えることなく、すばやく行うことができる。
【００２４】
一方、揺動部材であるズームレバーを回転摺動動作させるように構成することで、奥行きを減らすことが可能となる。また、その動作をモードダイアルと同軸の円筒面上での回転摺動とすることでモードダイアルとのデザイン上の一体感を出すとともに、モードダイアルに合わせて設けられている円筒状の突き出し部に形状を合わせられるのでユニットの配置が効率的に行える。
【００２５】
なお、本実施例ではモード切替ダイアルをもったモードダイアルユニットと、ズームレバーが組み込まれたズームレバーユニットを別個のユニットとしているが、同一のユニットとして構成しても良い。
【図面の簡単な説明】
【００２６】
【図１】本実施例のデジタルカメラの分解斜視図
【図２】モードダイアルユニットの分解斜視図
【図３】ズームユニットの分解斜視図
【図４】ズームユニットの断面およびモードダイアルとの関係を示す図
【図５】モードダイアルの断面図
【符号の説明】
【００２７】
１  カメラ本体
２  前カバー
３  後カバー
４  上カバー
６  モードダイアルユニット
７  ズームユニット
１０  モード切替ダイアル
１１  クリックスプリング
１２  ベース部材
１３  接片支持板
１４  ダイアル接片
１５  ねじ
１６  モードフレキ
２０  ズームレバー
２１  ズームベース
２２  レバー固定部材
２３  ズームスプリング
２４  ズームレバー位置検出ＳＷ
２５  操作フレキ
２７  操作ベース
【図１】
2007025113.tif 000003
【図２】
2007025113.tif 000004
【図３】
2007025113.tif 000005
【図４】
2007025113.tif 000006
【図５】
2007025113.tif 000007